(57)【特許請求の範囲】
【請求項１】
パチンコ遊技機において、
ベース部材に第１軸心回りに回動自在に支持された第１装飾部材を含む第１可動体と、
前記第１可動体と相対移動可能にベース部材又は第１可動体に支持された第２装飾部材を含む第２可動体と、
前記第１可動体を前記第１軸心回りに所定の第１位置と第２位置とに亙って所定の途中位置を経由させて回動駆動する回動駆動機構と、
前記回動駆動機構により第１可動体を前記第１位置と途中位置とに亙って回動させる際に、第１，第２可動体を一体的に保持して回動させる可動体保持機構と、
前記回動駆動機構により第１可動体を前記途中位置と第２位置とに亙って回動させる際に、第２可動体を回動停止させた状態で第１可動体の回動に連動して前記第１又は第２装飾部材を前記第１軸心と直交する面と平行な第２軸心回りに所定の第１回動位置と第２回動位置とに亙って回動させる可動体連動機構と、
を備えたことを特徴とするパチンコ遊技機。
【請求項２】
前記第１可動体は、前記第１軸心回りに回動自在にベース部材に連結され且つ前記回動駆動機構から駆動力が入力される第１可動ベース部材を有し、
前記第１装飾部材が、前記第１軸心と直交する前記第２軸心回りに回動自在に前記第１可動ベース部材に連結されたことを特徴とする請求項１に記載のパチンコ遊技機。
【請求項３】
前記第２可動体は、前記第１軸心回りに回動自在にベース部材に連結された第２可動ベース部材を有し、
前記第２装飾部材が、前記２可動ベース部材に固定的に連結されたことを特徴とする請求項２に記載のパチンコ遊技機。
【請求項４】
前記第１，第２可動体が、前記第１軸心から第１軸心と直交する面に沿って異なる２方向へ延びるように設けられたことを特徴とする請求項３に記載のパチンコ遊技機。
【請求項５】
前記可動体保持機構は、
前記第１，第２可動体が前記第１軸心を中心として設定角度離隔した状態で、第１，第２可動体が互いに離隔する方向へ相対回動するのを規制する相対回動規制機構と、前記第１，第２可動体を互いに離隔させる方向へ回動付勢する可動体付勢機構とを有することを特徴とする請求項４に記載のパチンコ遊技機。
【請求項６】
前記可動体連動機構は、
前記第１装飾部材に前記第２軸心から偏心した位置に設けられた第１係合部と、前記第２可動体に前記第１係合部と係合するように設けられた第２係合部と、前記第１装飾部材を前記第１回動位置へ回動付勢するバネ部材とを有し、
前記第１可動体が前記途中位置から第２位置へ回動する際に第１係合部が第２係合部に押動されて第１装飾部材が前記バネ部材の付勢力に抗して第１回動位置から第２回動位置へ回動し、前記第１可動体が前記第２位置から途中位置へ回動する際に第１装飾部材が第１，第２係合部を介して受ける前記バネ部材の付勢力により第２回動位置から第１回動位置へ回動するように構成されたことを特徴とする請求項５に記載のパチンコ遊技機。
【請求項７】
前記可動体連動機構の第１，第２係合部及びバネ部材が、前記可動体保持機構の可動体付勢機構を構成していることを特徴とする請求項６に記載のパチンコ遊技機。
【請求項８】
前記第１，第２可動体、可動体保持機構、可動体連動機構を対称に２組設け、共通の１つの電動モータを有する前記回動駆動機構により２組の第１，第２可動体が対称に動作するように構成されたことを特徴とする請求項１〜７の何れか１項に記載のパチンコ遊技機。
【発明の詳細な説明】
【技術分野】
【０００１】
本発明はパチンコ遊技機に関し、特に、第１可動体を第１軸心回りに第１位置と第２位置とに亙って回動駆動することにより、第１，第２可動体を一体的に回動させたり、第２可動体を回動停止させた状態で第１可動体の第１装飾部材（又は第２可動体の第２装飾部材）を第１軸心と直交する面と平行な第２軸心回りに回動させたりするものである。
【背景技術】
【０００２】
一般に、パチンコ遊技機には、遊技演出用の装飾部材を有する演出役物装置が装備されており、この演出役物装置として、装飾部材が前後方向と直交する鉛直面（即ち、遊技盤の盤面）に沿って動作するものが広く実用に供されている。
【０００３】
例えば、特許文献１に記載の演出役物装置では、可動アームの基端部がベース部材に前後方向の軸心回りに回動自在に連結され、可動アームの先端部に装飾部材が前後方向の軸心回りに回動自在に連結され、ベース部材と装飾部材にリンクアームの両端部が夫々前後方向の軸心回りに回動自在に連結されている。回動駆動機構により可動アームが回動駆動されて、装飾部材が画面前側を左右に揺動し、その際、リンクアームにより装飾部材が常に同姿勢になるように保持される。
【０００４】
一方、特許文献２に記載の演出役物装置では、人の胴体を模した役物本体がベース部材に左右方向の軸心回りに回動可能に支持され、機関銃の本体を模した揺動体がベース部材に前後方向の軸心回りに回動可能に支持され、機関銃の複数の銃筒を模した回転体が揺動体に前後方向と直交する軸心回りに回転可能に支持されている。
【０００５】
第１駆動機構により揺動体が回転体と共に上下に揺動駆動され、この第１駆動機構と独立に設けられた第２駆動機構により回転体が回転駆動される。第２駆動機構により回転体が回転駆動されると、その動力が役物本体の後側に配置された回転板に複数のギヤ等を介して入力され、その回転板が前後方向の軸心回りに回転し、これにより、回転板と役物本体とに設けられたカム機構により役物本体が前後に揺動駆動される。
【先行技術文献】
【特許文献】
【０００６】
【特許文献１】特開２００３−２３６０８６号公報
【特許文献２】特開２００８−１８３０３０号公報
【発明の概要】
【発明が解決しようとする課題】
【０００７】
特許文献１のような演出役物装置では、装飾部材が前後方向と直交する鉛直面に沿って動作し、前後方向へは動作しない平面的な単調な動作となるため、演出効果を高めることができない。特許文献２の演出役物装置では、揺動体が回転体と共に上下に揺動し、回転体が前後方向と直交する軸心回りに回転し、役物本体が前後に揺動する。しかし、揺動体を駆動する第１駆動機構と回転体を駆動する第２駆動機構が独立に設けられているため、第１，第２駆動機構の全体的な構造が複雑かつ大型になり製作コストが高価になる。
【０００８】
一方、第２駆動機構により回転体が回転駆動されると、それに連動して役物本体が前後に揺動駆動される。しかし、回転体の回転動作と役物本体の揺動動作は常に異なる動作となり、従来の装飾部材を複数設けることで実現することも容易であり斬新さに欠ける。しかも、第２駆動機構により役物本体を駆動するために、複数のギヤ、回転板、カム機構等を別途設ける必要があるため、第１駆動機構を無視しても、構造が複雑かつ大型になり製作コストが高価になる。
【０００９】
本発明の目的は、第１，第２装飾部材の一連の斬新な動作を実現して演出効果を高めることができるパチンコ遊技機を提供することである。
【課題を解決するための手段】
【００１０】
請求項１の発明は、パチンコ遊技機(1) において、ベース部材(40)に第１軸心(C1)回りに回動自在に支持された第１装飾部材(51)を含む第１可動体(43)と、前記第１可動体(43)と相対移動可能にベース部材(40)又は第１可動体(43)に支持された第２装飾部材(56)を含む第２可動体(44)と、前記第１可動体(43)を前記第１軸心(C1)回りに所定の第１位置(P1)と第２位置(P2)とに亙って所定の途中位置(P3)を経由させて回動駆動する回動駆動機構(47)と、前記回動駆動機構(47)により第１可動体(43)を前記第１位置(P1)と途中位置(P3)とに亙って回動させる際に、第１，第２可動体(43,44) を一体的に保持して回動させる可動体保持機構(45)と、前記回動駆動機構(47)により第１可動体(43)を前記途中位置(P3)と第２位置(P2)とに亙って回動させる際に、第２可動体(44)を回動停止させた状態で第１可動体(43)の回動に連動して前記第１又は第２装飾部材(51 又は56) を前記第１軸心(C1)と直交する面と平行な第２軸心(C2)回りに所定の第１回動位置(PR1) と第２回動位置(PR2) とに亙って回動させる可動体連動機構(46)とを備えたことを特徴とする。
【００１１】
請求項２の発明は、請求項１の発明において、前記第１可動体(43)は、前記第１軸心(C1)回りに回動自在にベース部材(40)に連結され且つ前記回動駆動機構(47)から駆動力が入力される第１可動ベース部材(50)を有し、前記第１装飾部材(51)が、前記第１軸心(C1)と直交する前記第２軸心(C2)回りに回動自在に前記第１可動ベース部材(50)に連結されたことを特徴とする。
【００１２】
請求項３の発明は、請求項２の発明において、前記第２可動体(44)は、前記第１軸心(C1)回りに回動自在にベース部材(40)に連結された第２可動ベース部材(55)を有し、前記第２装飾部材(56)が、前記２可動ベース部材(55)に固定的に連結されたことを特徴とする。
【００１３】
請求項４の発明は、請求項３の発明において、前記第１，第２可動体(43,44) が、前記第１軸心(C1)から第１軸心(C1)と直交する面に沿って異なる２方向へ延びるように設けられたことを特徴とする。
【００１４】
請求項５の発明は、請求項４の発明において、前記可動体保持機構(45)は、前記第１，第２可動体(43,44) が前記第１軸心(C1)を中心として設定角度( θα) 離隔した状態で、第１，第２可動体(43,44) が互いに離隔する方向へ相対回動するのを規制する相対回動規制機構(70)と、前記第１，第２可動体(43,44) を互いに離隔させる方向へ回動付勢する可動体付勢機構(75)とを有することを特徴とする。
【００１５】
請求項６の発明は、請求項５の発明において、前記可動体連動機構(46)は、前記第１装飾部材(51)に前記第２軸心(C2)から偏心した位置に設けられた第１係合部(80)と、前記第２可動体(44)に前記第１係合部(80)と係合するように設けられた第２係合部(82)と、前記第１装飾部材(51)を前記第１回動位置(PR1) へ回動付勢するバネ部材(82)とを有し、前記第１可動体(43)が前記途中位置(P3)から第２位置(P2)へ回動する際に第１係合部(80)が第２係合部(81)に押動されて第１装飾部材(51)が前記バネ部材(82)の付勢力に抗して第１回動位置(PR1) から第２回動位置(PR2) へ回動し、前記第１可動体(43)が前記第２位置(P2)から途中位置(P3)へ回動する際に第１装飾部材(51)が第１，第２係合部(80,81) を介して受ける前記バネ部材(82)の付勢力により第２回動位置(PR2) から第１回動位置(PR1) へ回動するように構成されたことを特徴とする。
【００１６】
請求項７の発明は、請求項６の発明において、前記可動体連動機構(46)の第１，第２係合部(80,81) 及びバネ部材(82)が、前記可動体保持機構(45)の可動体付勢機構(75)を構成していることを特徴とする。
【００１７】
請求項８の発明は、請求項１〜７の何れか１項の発明において、前記第１，第２可動体(43,44) 、可動体保持機構(45)、可動体連動機構(46)を対称に２組設け、共通の１つの電動モータ(60)を有する前記回動駆動機構(47)により２組の第１，第２可動体(43,44) が対称に動作するように構成されたことを特徴とする。
【発明の効果】
【００１９】
本発明のパチンコ遊技機によれば、前記第１，第２可動体、回動駆動機構、可動体保持機構、可動体連動機構を設けたので、第１，第２装飾部材の一連の斬新な動作を実現して演出効果を高めることができる。
【図面の簡単な説明】
【００２０】
【図１】パチンコ遊技機の正面図である。
【図２】パチンコ遊技機の制御系のブロック図である。
【図３】演出役物装置（第１可動体が第１位置）の正面図である。
【図４】演出役物装置（第１可動体が第１位置と途中位置の間）の正面図である。
【図５】演出役物装置（第１可動体が途中位置）の正面図である。
【図６】演出役物装置（第１可動体が第２位置）の正面図である。
【図７】演出役物装置の側面図である。
【図８】演出役物装置の背面図である。
【図９】演出役物装置の斜視図である。
【図１０】演出役物装置の一部省略した状態の斜視図である。
【図１１】演出役物装置の一部省略した状態の斜視図である。
【図１２】演出役物装置（第１可動体が第１位置）の一部省略した状態の正面図である。
【図１３】演出役物装置（第１可動体が第２位置）の一部省略した状態の正面図である。
【図１４】演出役物装置の一部省略した状態の背面図である。
【発明を実施するための形態】
【００２１】
本発明のパチンコ遊技機では、第１可動体が第１軸心回りに所定の第１位置と第２位置とに亙って所定の途中位置を経由させて回動駆動され、第１可動体が前記第１位置と途中位置とに亙って回動する際に、第１，第２可動体が一体的に保持されて第１軸心回りに回動され、第１可動体が前記途中位置と第２位置とに亙って回動する際に、第２可動体が第１軸心回りに回動停止された状態で第１可動体の第１軸心回りの回動に連動して第１可動体の第１装飾部材が第１軸心と直交する面と平行な第２軸心回りに所定の第１回動位置と第２回動位置とに亙って回動される。
【実施例】
【００２２】
図１に示すように、パチンコ遊技機１には、遊技ホールの島構造体に取付けられる外枠に開閉枠２が開閉自在に装着され、開閉枠２に開閉扉３が開閉自在に装着されている。開閉枠２に遊技盤４が装着され、遊技盤４の前面側に遊技領域４ａが形成されている。開閉扉３に窓３ａが形成され、窓３ａに透明板３ｂが装着され、透明板３ｂにより遊技領域４ａの前側が覆われている。
【００２３】
開閉扉３には、窓３ａの下側に貯留皿５が設けられ、貯留皿５に演出ボタン６が装着され、貯留皿５の右下側に発射ハンドル７が装着されている。発射ハンドル７が回動操作されると、貯留皿５から発射位置に導入された遊技球が発射され、貯留皿５に複数の遊技球が存在する場合には、複数の遊技球が約０．６秒間隔で連続発射される。発射された遊技球はガイドレール８で案内され遊技領域４ａの上部に投入される。
【００２４】
図１、図２に示すように、遊技盤４には、多数の障害釘１０、第１始動口１１、第２始動口装置１２、ゲート１３、大入賞口装置１４、複数の一般入賞口１５、センタ役物１６、画像表示器１７、演出役物装置１８、遊技表示盤１９が図１に示す配置で装着され、遊技盤４の裏面側に遊技に関する制御を実行する制御装置２０が装着されている。
【００２５】
第１始動口１１には入賞した遊技球を検出する第１始動口ＳＷスイッチ１１ａが付設され、ゲート１３には通過した遊技球を検出するゲートＳＷ１３ａが付設され、各一般入賞口１５には入賞した遊技球を検出する一般入賞口ＳＷ１５ａが付設されている。尚、「ＳＷ」はスイッチを意味する。
【００２６】
第２始動口装置１２は、第２始動口１２ａ、第２始動口１２ａを開閉する開閉部材１２ｂ、第２始動口１２ａに入賞した遊技球を検出する第２始動口ＳＷ１２ｃ、開閉部材１２ｂを開閉駆動する第２始動口ＳＯＬ１２ｄを有する。尚、「ＳＯＬ」はソレノイドアクチュエータを意味する。開閉部材１２ｂは、閉位置で第２始動口１２ａへの遊技球の入賞を不可能にし、開位置で第２始動口１２ａへの遊技球の入賞を可能にする。
【００２７】
大入賞口装置１４は、大入賞口１４ａ、大入賞口１４ａを開閉する開閉部材１４ｂ、大入賞口１４ａに入賞した遊技球を検出する大入賞口ＳＷ１４ｃ、開閉部材１４ｂを開閉駆動する大入賞口ＳＯＬ１４ｄを有する。開閉部材１４ｂは、閉位置で大入賞口１４ａへの遊技球の入賞を不可能にし、開位置で大入賞口１４ａへの遊技球の入賞を可能にする。
【００２８】
センタ役物１６は、遊技領域４ａの半分以上を占めるサイズで枠状に形成され、遊技盤４に形成された盤穴（図示略）に嵌合した状態で装着されている。画像表示器１７は、その画面がセンタ役物１６の内側領域に臨むように、センタ役物１６に後側から装着されている。演出役物装置１８は、遊技演出を行う本案特有の装置であり、センタ役物１７の上部に設けられ、例えば、特別図柄の変動中の特定演出実行中に大当り期待度を高めるように画像表示器１７の画面前側で作動する。
【００２９】
遊技表示盤１９は、第１特別図柄表示器１９ａ、第２特別図柄表示器１９ｂ、普通図柄表示器１９ｃ、第１特別図柄保留ランプ１９ｄ、第２特別図柄保留ランプ１９ｅ、普通図柄保留ランプ１９ｆを備えている。
【００３０】
第１特別図柄表示器１９ａには、第１始動口１１への遊技球の入賞に基づいて第１特別図柄が図柄変動後に停止表示され、第２特別図柄表示器１９ｂには、第２始動口１２ａへの遊技球の入賞に基づいて第２特別図柄が図柄変動後に停止表示される。第１又は第２特別図柄表示器１９ａ又は１９ｂに大当り図柄が停止表示された場合、大当り遊技が発生して、大入賞口装置１４が、開閉部材１４ｂを開閉動作させ、通常は閉塞の大入賞口１４ａを複数ラウンドに亙って開閉させる。
【００３１】
普通図柄表示器１９ｃには、ゲート１３への遊技球の入賞（通過）に基づいて普通図柄が図柄変動後に停止表示される。普通図柄表示器１９ｃに当り図柄が停止表示された場合、補助遊技が発生して、第２始動口装置１２が、開閉部材１２ｂを開閉動作させ、通常は閉塞の第２始動口１２ａを１又は複数回開閉させる。
【００３２】
第１特別図柄保留ランプ１９ｄには、第１始動口１１に入賞した遊技球の所謂第１特図保留数が最大で４個表示され、第２特別図柄保留ランプ１９ｅには、第２始動口１２ａに入賞した遊技球の所謂第２特図保留数が最大で４個表示され、普通図柄保留ランプ１９ｆには、ゲート１３に入賞した遊技球の所謂普図保留数が最大で４個表示される。
【００３３】
発射ハンドル７を回動操作することで、遊技領域４ａの上部に発射投入された遊技球は、複数の障害釘１０に当たって方向を変えながら落下して、入賞口１１，１２ａ，１４ａ，１５の何れかに入賞した場合、そこから遊技領域４ａ外へ排出され、入賞口１１，１２ａ，１４ａ，１５の何れにも入賞しなかった場合には、最終的に、遊技領域４ａの下端部に形成されたアウト口４ｃから遊技領域４ａ外へ排出される。
【００３４】
パチンコ遊技機１の制御系について説明すると、図２に示すように、制御装置２０は、遊技制御基板２１、払出制御基板２２、演出制御基板２３、画像制御基板２４、ランプ制御基板２５を備え、これら制御基板２１〜２５に夫々ＣＰＵとＲＯＭとＲＡＭを含むコンピュータを備えて構成され、演出制御基板２３は更にＲＴＣを備えている。遊技制御基板２１は盤用外部情報端子基板２６に接続され、払出制御基板２２は枠用外部情報端子基板２７に接続されている。尚、「ＲＴＣ」はリアルタイムクロックを意味する。
【００３５】
遊技制御基板２１のコンピュータは、第１，第２始動口ＳＷ１１ａ，１２ｃ、ゲートＳＷ１３ａ、大入賞口ＳＷ１４ｃ、一般入賞口ＳＷ１５ａからの信号と、払出制御基板２２からの制御情報とを受けて、第２始動口ＳＯＬ１２ｄ、大入賞口ＳＯＬ１４ｄ、図柄表示器１９ａ〜１９ｃ、図柄保留ランプ１９ｄ〜１９ｆを制御し、払出制御基板２２と演出制御基板２３と盤用外部情報端子基板２６とに制御情報（遊技情報）を出力する。
【００３６】
払出制御基板２２のコンピュータは、遊技制御基板２１からの制御情報と、払出球検出ＳＷ３１、球有り検出ＳＷ３２、満タン検出ＳＷ３３からの信号とを受けて、払出モータ３０を制御し、入賞口１１，１２ａ，１４ａ，１５への遊技球の入賞１個について、入賞口１１，１２ａ，１４ａ，１５毎に設定された数の遊技球を貯留皿５に払出し、遊技制御基板２２と枠用外部情報端子基板２７とに制御情報（払出情報）を出力する。
【００３７】
演出制御基板２３のコンピュータは、遊技制御基板２１からの制御情報と、演出ボタン６からの信号とを受けて、画像制御基板２４に制御情報を出力し、更に、画像制御基板２４からの制御情報を受けて、ランプ制御基板２５に制御情報を出力する。
【００３８】
画像制御基板２４のコンピュータは、演出制御基板２３からの制御情報を受けて、遊技演出用の画像表示器１７とスピーカ３５とを制御し、演出制御基板２３に制御情報を出力する。ランプ制御基板２５のコンピュータは、演出制御基板２３からの制御情報を受けて、主に画像制御基板２４のコンピュータによる制御に同期させて、遊技演出用の枠ランプ３６と盤ランプ３８と演出役物装置１８とを制御する。
【００３９】
演出役物装置１８について説明する。
図１〜図１４に示すように、演出役物装置１８は、ベース部材４０、固定装飾体４１、左右２組の可動体装置４２を備え、ベース部材４０がセンタ役物１７の上部に取付けられて、固定装飾体４１及び２組の可動体装置４２が、画像表示器１７の画面上端側の前側に位置している。
【００４０】
ベース部材４０は、ベース前部材４０ａ、ベース後部材４０ｂ、ベースカバー部材４０ｃを備え、ベース前部材４０ａとベース後部材４０ｂが複数のビス４０ａ１で前後に結合されてケース状に形成されている。ベース前部材４０ａ及びベース後部材４０ｂは、センタ役物１６に固定的に設けられたベース取付部（図示略）の前面部に複数のビス４０ｂ１で取付けられている。ベースカバー部材４０ｃは側面視クランク形状に形成され、その上部がベース前部材４０ａの前面部に複数のビス４０ｃ１で取付けられ、その下部がベース前部材４０ａの前側に間隔を空けて位置する。
【００４１】
固定装飾体４１は、複数の先端が尖った羽根状部（星の輝きを示す形状部分）を有する第１固定装飾部材４１ａと、第１固定装飾部材４１ａの外周外側に配置された複数の先端が尖った羽根状部（第１固定装飾部材４１ａと同じく星の輝きを示す形状部分）を有する第２固定装飾部材４１ｂとを有する。第１固定装飾部材４１ａと第２固定装飾部材４１ｂ（第１，第２星ギミック４１ａ，４１ｂ）は一体的に形成され、ベースカバー部材４０ｃの下部に前方突出状に設けられた複数のボス部４０ｃ２にビス４１ｄで取付けられ、ベースカバー部材４０ｃの前側に間隔を空けて位置する。
【００４２】
固定装飾体４１の後側において、ベースカバー部材４０ｃの前面部にＬＥＤ基板４８ａが取付けられ、そのＬＥＤ基板４８ａの前面部に複数のＬＥＤ４８ｂが実装されている。固定装飾体４１（第１固定装飾部材４１ａ）には、複数のＬＥＤ４８ｂの光を拡散して前方へ通すレンズ４８ｃが設けられ、これにより、固定装飾体４１が電飾される。
【００４３】
２組の可動体装置４２は、夫々、第１，第２可動体４３，４４、可動体保持機構４５、可動体連動機構４６を備えるとともに、２組の可動体装置４２に共通の１つの電動モータ６０を有する回動駆動機構４７を備えている。２組の第１，第２可動体４３，４４、２組の可動体保持機構４５、２組の可動体連動機構４６は、夫々その大部分が左右対称構造であり、回動駆動機構４７により２組の第１，第２可動体４３，４４が左右対称に動作するように構成されている。
【００４４】
第１，第２可動体４３，４４、可動体保持機構４５、可動体連動機構４６、回動駆動機構４７について詳しく説明する。但し、２組の第１，第２可動体４３，４４、２組の可動体保持機構４５、２組の可動体連動機構４６については夫々その一方について説明し他方については一方と同一符号を付し説明を省略する。
【００４５】
図３〜図１４に示すように、第１可動体４３は、ベース部材４０に前後方向の且つ固定装飾体４１の中心と一致する第１軸心Ｃ１回りに回動自在に支持されて、第１軸心Ｃ１から第１軸心Ｃ１と直交する鉛直面に沿って長く延びるように設けられている。
【００４６】
第１可動体４３は、基端側部分が第１軸心Ｃ１回りに回動自在に軸４９を介してベース部材４０に連結され且つ回動駆動機構４７から駆動力が入力される第１可動ベース部材５０と、基端側部分が第１可動ベース部材５０の先端側部分に第１軸心Ｃ１と直交し且つ第１可動体４３の長さ方向と一致する第２軸心Ｃ２回りに軸４３ａを介して回動自在に連結された第１装飾部材５１とを有する。
【００４７】
第１可動ベース部材５０は、固定装飾体４１の後側に隠れた状態で、ベース前部材４０ａとベースカバー部材４０ｃとの間に配置されている。第１装飾部材５１は、先端が尖った羽根状（星の輝きを示す形状）に形成され、固定装飾体４１の外周外側に露出した状態で配置されている。
【００４８】
図３〜図１４に示すように、第２可動体４４は、第１可動体４３と相対回動可能にベース部材４０に第１軸心Ｃ１回りに回動自在に支持されて、第１軸心Ｃ１から第１軸心Ｃ１と直交する鉛直面に沿って且つ第１可動体４３の長さ方向と異なる方向へ長く延びるように設けられている。
【００４９】
第２可動体４４は、基端側部分が第１軸心Ｃ１回りに回動自在に軸４９を介してベース部材４０に連結された第２可動ベース部材５５と、基端側部分が第２可動ベース部材５５の先端側部分に固定的に連結された第２装飾部材５６とを有する。
【００５０】
第２可動ベース部材５５は、固定装飾体４１の後側に隠れた状態で、ベース前部材４０ａとベースカバー部材４０ｃとの間に、第１可動ベース部材５０よりも前方位置に配置され、部分的に第１可動ベース部材５０と前後に重なった状態で配置されている。第２装飾部材５６は、第１装飾部材５１と略同形同サイズの先端が尖った羽根状（第１装飾部材５１と同じく星の輝きを示す形状）に形成され、固定装飾体４１の外周外側に露出した状態に配置されている。
【００５１】
尚、第１，第２装飾部材５１，５６に、ＬＥＤ基板、ＬＥＤ基板の前面部に実装された複数のＬＥＤ、複数のＬＥＤの光を拡散して前方へ通すレンズを設けて、第１，第２装飾部材５１，５６を電飾するようにしてもよい。
【００５２】
図３〜図６、図１１〜図１４に示すように、回動駆動機構４７は、第１可動体４３を第１軸心Ｃ１回りに所定の第１位置Ｐ１（図３の位置）と第２位置Ｐ２（図６の位置）とに亙って所定の途中位置Ｐ３（図５の位置）を経由させて動作角度θａ（例えば、θａ＝５０°）回動駆動する。例えば、第１可動体４３の第１位置Ｐ１と途中位置Ｐ３間の動作角度θｂは３５°であり、途中位置Ｐ３と第２位置Ｐ２間の動作角度θｂは１５°である。
【００５３】
回動駆動機構４７は、電動モータ６０、電動モータ６０の出力軸６０ａに直結された駆動ギヤ６１、駆動ギヤ６１と噛合する従動ギヤ６２、互いに噛合する２組のアーム付きギヤ部材６３を有し、２組のアーム付きギヤ部材６３の一方に従動ギヤ６２が噛合している。電動モータ６０は、ベース前部材４０ａの前面部上部に後向きに取付けられ、駆動ギヤ６１、従動ギヤ６２、２組のアーム付きギヤ部材６３は、ベース前部材４０ａとベース後部材４０ｂに収容されている。従動ギヤ６２と２組のアーム付きギヤ部材６３が夫々前後方向の軸６２ａ，６３ｃを介してベース後部材４０ｂに回転自在に支持されている。
【００５４】
２組のアーム付きギヤ部材４３は左右対称に配置され、第１軸心Ｃ１の比較的近傍に配置されている。２組のアーム付きギヤ部材４３のアーム部６３ａは、２組の第１可動ベース部材５０の先端側部分まで延びて、夫々第１可動ベース部材５０に長孔６４ａとピン６４ｂを介して連結されている。長孔６４ａがアーム部６３ａにその長さ方向へ延びるように形成され、ピン６４ｂが第１可動ベース部材５０に後方突出状に設けられて長孔６４ａに係合している。
【００５５】
尚、２組の第１可動体４３の原点位置（例えば、第１位置Ｐ１）を検出する原点ＳＷ６５が設けられている。この原点ＳＷ６５は、例えば、光学センサからなり、２組のアーム付きギヤ部材６３の一方に設けられた遮蔽部を検出して原点位置を検知する。
【００５６】
図１０〜図１３に示すように、可動体保持機構４５は、回動駆動機構４７により第１可動体４３を第１軸心Ｃ１回りに第１位置Ｐ１と途中位置Ｐ３とに亙って回動させる際に、第１，第２可動体４３，４４を一体的に保持して第１軸心Ｃ１回りに回動させる。
【００５７】
可動体保持機構４５は、第１，第２可動体４３，４４が第１軸心Ｃ１を中心として設定角度θα（例えば、θα＝３５°）離隔した状態で、第１，第２可動体４３，４４が第１軸心Ｃ１回りに互いに離隔する方向へ相対回動するのを規制する相対回動規制機構７０と、第１，第２可動体４３，４４を第１軸心Ｃ１回りに互いに離隔させる方向へ回動付勢する可動体付勢機構７５とを有する。
【００５８】
図１０〜図１４に示すように、相対回動規制機構７０は、第１可動ベース部材５０のうち第２可動ベース部材５５と前後に対向する部分に形成され第１軸心Ｃ１を中心とする円弧スリット７１と、円弧スリット７１に移動自在に係合するように第２規制板部７１ｂに前方突出状に設けられた係合ピン７２とを有する。
【００５９】
第１可動体４３が第１位置Ｐ１と途中位置Ｐ３とに亙って回動する際、係合ピン７２が円弧スリット７１の一端部に係合して、第１，第２可動体４３，４４が第１軸心Ｃ１を中心として設定角度θα離隔した状態に保持される。一方、第１可動体４３が途中位置Ｐ３と第２位置Ｐ２とに亙って回動する際、係合ピン７２が円弧スリット７１に挿入された状態で、第１，第２可動体４３，４４が互いに接近・離隔する回動は許容される。
【００６０】
図１０〜図１４に示すように、可動体連動機構４６は、回動駆動機構４７により第１可動体４３を途中位置Ｐ３と第２位置Ｐ２とに亙って第１軸心Ｃ１回りに回動させる際に、第２可動体４４を第１軸心Ｃ１回りに回動停止させた状態で第１可動体４３の第１軸心Ｃ１回りの回動に連動して第１可動体４３の第１装飾部材５１を第２軸心Ｃ２回りに所定の第１回動位置ＰＲ１（図３〜図５の位置）と第２回動位置ＰＲ２（図６の位置）とに亙って動作角度θｅ（例えば、θｅ＝９０°）回動させる。
【００６１】
可動体連動機構４６は、第１可動体４３の第１装飾部材５１に第２軸心Ｃ２から偏心した位置に設けられた第１係合部８０と、第２可動体４４の第２可動ベース部材５５に第１軸心Ｃ１を中心とする周方向から第１係合部８０と係合するように設けられた第２係合部８１と、第１装飾部材５１を第１可動ベース部材５０に対して第１回動位置ＰＲ１へ回動付勢する捩じりバネからなるバネ部材８２とを有する。
【００６２】
また、可動体連動機構４６は、第２可動体４４を第１軸心Ｃ１回りに回動停止させるために、ベースカバー部材４０ｃに形成され第１軸心Ｃ１を中心とする円弧スリット７３と、円弧スリット７４に移動自在に係合するように第２可動ベース部材５５に前方突出状に設けられた係合ピン７５とを有する。
【００６３】
第１可動体４３が途中位置Ｐ３と第２位置Ｐ２とに亙って回動する際、係合ピン７５が円弧スリット７４の一端部に係合して、第２可動体４４が第１軸心Ｃ１回りに回動しなくなる。一方、第１可動体４３が第１位置Ｐ１と途中位置Ｐ３とに亙って回動する際、係合ピン７５が円弧スリット７４に挿入された状態で、第２可動体４４の回動は許容される。
【００６４】
そして、可動体連動機構４６は、第１可動体４３が途中位置Ｐ３から第２位置Ｐ２へ回動する際に第１係合部８０が第２係合部８１に押動されて第１装飾部材５１がバネ部材８２の付勢力に抗して第１回動位置ＰＲ１から第２回動位置ＰＲ２へ回動し、第１可動体４３が第２位置Ｐ２から途中位置Ｐ３へ回動する際に第１装飾部材５１が第１，第２係合部８０，８１を介して受けるバネ部材８２の付勢力により第２回動位置ＰＲ２から第１回動位置ＰＲ１へ回動するように構成されている。
【００６５】
この可動体連動機構４６の第１，第２係合部８０，８１及びバネ部材８２が、第１，第２可動体４３，４４を互いに離隔させる方向へ回動付勢する機能を有し、即ち、可動体保持機構４５の可動体付勢機構７５を構成している。つまり、第１，第２係合部８０，８１及びバネ部材８２は、可動体保持機構４５の可動体付勢機構７５と可動体連動機構４６の共通の構成になっている。
【００６６】
図２に示すように、ランプ制御基板２５のコンピュータが、演出役物装置１８を制御し、この場合、演出制御基板２３のコンピュータからの制御指令を受け、原点ＳＷ６５からの検出信号に基づいて、電動モータ６０を制御する。
【００６７】
以上説明した演出役物装置１８の作用・効果について説明する。
先ず、演出役物装置１８が非作動状態のとき、図３に示すように、２組の第１可動体４３は、下限位置となる第１位置Ｐ１に位置して最接近するとともに、２組の第２可動体４４は２組の第１可動体４３に対して夫々第１軸心Ｃ１を中心として設定角度θｄ（最大限）離隔し、また、２組の第１可動体４３の第１装飾部材５１が第１回動位置ＰＲ１に位置し、２組の第１可動体４３の第１装飾部材５１と２組の第２可動体４４の第２装飾部材５６（合計４つの装飾部材５１，５６）は、設定角度θｄ（３５°）間隔おきに位置する。
【００６８】
一方、演出役物装置１８が特別図柄の変動中の特定演出実行中に作動して、大当り期待度を高めたり大当りを報知したりする演出や、演出役物装置１８が大当り遊技中の特定演出実行中に作動して、より有利な大当り遊技への昇格を報知する演出等が行われる。
【００６９】
この場合、回動駆動機構４７により、２組の第１可動体４３が、第１軸心Ｃ１回りに第１位置Ｐ１（図３）から第２位置Ｐ２（図６）へ途中位置Ｐ３（図５）を経由して互いに離隔する方向へ左右対称に回動駆動される。
【００７０】
回動駆動機構４７により、第１可動体４３が第１位置Ｐ１（図３）から途中位置Ｐ３（図５）へ回動される際、可動体保持機構４５により、第１，第２可動体４３，４４が一体的に保持され第１軸心Ｃ１回りに回動される。
【００７１】
回動駆動機構４７により、第１可動体４３が途中位置Ｐ３（図５）から第２位置Ｐ２（図６）へ回動される際、可動体連動機構４６により、第２可動体４４が第１軸心Ｃ１回りに回動停止された状態で、第１可動体４３の第１軸心Ｃ１回りの回動に連動して、第１可動体４３の第１装飾部材５１が第２軸心Ｃ２回りに第１回動位置ＰＲ１（図５）から第２回動位置ＰＲ２（図６）へ回動される。
【００７２】
その後、回動駆動機構４７により、２組の第１可動体４３が、第１軸心Ｃ１回りに第２位置Ｐ２（図６）から第１位置Ｐ１（図３）へ途中位置Ｐ３（図５）を経由して互いに接近する方向へ左右対称に回動駆動される。
【００７３】
回動駆動機構４７により、第１可動体４３が第２位置Ｐ２（図６）から途中位置Ｐ３（図５）へ回動される際、可動体連動機構４６により、第２可動体４４が第１軸心Ｃ１回りに回動停止された状態で、第１可動体４３の第１軸心Ｃ１回りの回動に連動して、第１可動体４３の第１装飾部材５１が第２軸心Ｃ２回りに第２回動位置ＰＲ２（図６）から第１回動位置ＰＲ１（図５）へ回動される。
【００７４】
回動駆動機構４７により、第１可動体４３が途中位置Ｐ３（図５）から第１位置Ｐ１（図３）へ回動される際、可動体保持機構４５により、第１，第２可動体４３，４４が一体的に保持され第１軸心Ｃ１回りに回動される。
【００７５】
このように、２組の第１可動体４３が左右対称に動作し、これら第２可動体４３，４４の動作に伴って、２組の第２可動体４４が左右対称に動作するので、第１，第２装飾部材４３，４４の一連の斬新な動作を実現して演出効果を高めることができる。
【００７６】
第１可動体４３は、第１軸心Ｃ１回りに回動自在にベース部材４０に連結され且つ回動駆動機構４７から駆動力が入力される第１可動ベース部材５０を有し、第１装飾部材５１が、第１軸心Ｃ１と直交する第２軸心Ｃ２回りに回動自在に第１可動ベース部材５０に連結されているので、可動体連動機構４６により、第１可動体４３の第１軸心Ｃ１回りの回動に連動して第１装飾部材５１を第１軸心Ｃ１回り回動させつつ第２軸心Ｃ２回りに確実に回動させることができる。
【００７７】
第２可動体４４は、第１軸心Ｃ１回りに回動自在にベース部材４０に連結された第２可動ベース部材５５を有し、第２装飾部材５６が、２可動ベース部材５５に固定的に連結されているので、第１，第２可動体４３，４４を同一の第１軸心Ｃ１回りに回動させることができ、しかも、第１軸心Ｃ１から第１軸心Ｃ１と直交する鉛直面に沿って異なる２方向へ延びるように設け、第１，第２可動体４３，４４の形状を同じようにして関連性を持たせることができるので、特有の演出動作を実現することができる。
【００７８】
可動体保持機構４５は、第１，第２可動体４３，４４が第１軸心Ｃ１を中心として設定角度θα離隔した状態で、第１，第２可動体４３，４４が互いに離隔する方向へ相対回動するのを規制する相対回動規制機構７０と、第１，第２可動体４３，４４を互いに離隔させる方向へ回動付勢する可動体付勢機構７５とを有するので、この可動体保持機構４５により、第１，第２可動体４３，４４を確実に一体的に保持して回動させることができる。
【００７９】
可動体連動機構４６は、第１装飾部材５１に第２軸心Ｃ２から偏心した位置に設けられた第１係合部８０と、第２可動体４４に第１係合部８０と係合するように設けられた第２係合部８２と、第１装飾部材５１を第１回動位置ＰＲ１へ回動付勢するバネ部材８２とを有し、第１可動体４３が途中位置Ｐ３から第２位置Ｐ２へ回動する際に第１係合部８０が第２係合部８１に押動されて第１装飾部材５１がバネ部材８２の付勢力に抗して第１回動位置ＰＲ１から第２回動位置ＰＲ２へ回動し、第１可動体４３が第２位置Ｐ２から途中位置Ｐ３へ回動する際に第１装飾部材５１が第１，第２係合部８０，８１を介して受けるバネ部材８２の付勢力により第２回動位置ＰＲ２から第１回動位置ＰＲ１へ回動するように構成されているので、この可動体連動機構４６により、第２可動体４４を回動停止させた状態で第１可動体４３の回動に連動して第１装飾部材５１を第２軸心Ｃ２回りに第１回動位置ＰＲ１と第２回動位置ＰＲ２とに亙って確実に回動させることができる。
【００８０】
可動体連動機構４６の第１，第２係合部８０，８１及びバネ部材８２が、可動体保持機構４５の可動体付勢機構７５を構成しているので、可動体連動機構４６と可動体保持機構４５の可動体付勢機構７５とを共通の複数部材を兼用して構成することができ、つまり、これらの機構を簡単化でき製作コストを低減することができる。
【００８１】
前記実施例を次のように変更してもよい。
（１）第２可動体４４を第１可動体４３と相対移動可能に第１可動体４３（第１可動ベース部材５０）に支持する。この場合、第２可動体４４を第１可動体４３に第１軸心Ｃ１と平行で且つ第１軸心Ｃ１と異なる軸心回りに回動自在に支持する。或いは、第２可動体４４を第１可動体４３に直線的に移動自在に支持する。
【００８２】
（２）第１可動体４３において、第１可動ベース部材５０と第１装飾部材５１を一体的に固定し、第２可動体４４において、第２可動ベース部材５５に第２装飾部材５６を第１軸心Ｃ１と直交する軸心回りに回動自在に連結する。
【００８３】
そして、回動駆動機構４７により第１可動体４３を第１位置Ｐ１と途中位置Ｐ３とに亙って回動させる際に、可動体保持機構により第１，第２可動体４３，４４を一体的に保持して回動させ、回動駆動機構４７により第１可動体４３を途中位置Ｐ３と第２位置Ｐ２とに亙って回動させる際に、可動体連動機構により第２可動体４４の第２可動ベース部材５５を回動停止させた状態で第１可動体４３の回動に連動して第２装飾部材５６を第２軸心回りに第１回動位置と第２回動位置とに亙って回動させる。
【００８４】
その他、本発明の趣旨を逸脱しない範囲において、前記開示事項以外の種々の変更を付加して実施可能である。また、本発明は、種々のパチンコ遊技機において、遊技演出を実行する演出役物装置として適用可能である。
【符号の説明】
【００８５】
１  パチンコ遊技機
４０  ベース部材
４３  第１可動体
４４  第２可動体
４５  可動体保持機構
４６  可動体連動機構
４７  回動駆動機構
５０  第１可動ベース部材
５１  第１装飾部材
５５  第２可動ベース部材
５６  第２装飾部材
７０  相対回動規制機構
７５  可動体付勢機構
８０  第１係合部
８１  第２係合部
８２  バネ部材
Ｃ１  第１軸心
Ｃ２  第２軸心
【図１】
0005292385.tif 000002
【図２】
0005292385.tif 000003
【図３】
0005292385.tif 000004
【図４】
0005292385.tif 000005
【図５】
0005292385.tif 000006
【図６】
0005292385.tif 000007
【図７】
0005292385.tif 000008
【図８】
0005292385.tif 000009
【図９】
0005292385.tif 000010
【図１０】
0005292385.tif 000011
【図１１】
0005292385.tif 000012
【図１２】
0005292385.tif 000013
【図１３】
0005292385.tif 000014
【図１４】
0005292385.tif 000015